(57)【要約】【課題】  情報を表示する表示装置であって、暗闇においても視認可能であり、電源を必要としない表示装置を提供することを目的とする。【解決手段】  表示装置は、凹部を有する基体と、凹部に嵌め込まれる嵌込部および基体の表面から突出する突出部を有する表示体と、を備え、表示体が、少なくとも突出部に蓄光性を有する蓄光部を含む。【選択図】      図１
2016038442.tif 000002
【特許請求の範囲】
【請求項１】
凹部を有する基体と、
前記凹部に嵌め込まれる嵌込部および前記基体の表面から突出する突出部を有する表示体と、を備え、
前記表示体が、少なくとも前記突出部に蓄光性を有する蓄光部を含むことを特徴とする表示装置。
【請求項２】
前記表示体は、少なくとも前記嵌込部に、蓄光性を有しない非蓄光部を含むことを特徴とする請求項１記載の表示装置。
【発明の詳細な説明】
【技術分野】
【０００１】
本発明は、情報を表示する表示装置に関する。
【背景技術】
【０００２】
行き先や場所等の情報を表示するものとして、標識や看板（以下、標識等とする）がある。標識等のうち、山、河川または海岸等に設置されるものは、照明設備がないような場所に設置されることが多く、日没となって辺りが暗くなると、その標識等の情報を認識することができなくなる。その結果、行き先を見失って、遭難してしまう可能性がある。
また、ビル等の建物の屋内に設置される標識等についても、夜間に停電等が発生して屋内の照明が消えてしまうと、標識等の情報を認識することができず、行き先を見失ってしまうことがある。
【０００３】
これに対し、暗闇でも情報を認識することができる標識として照明付きの標識がある（例えば、特許文献１参照）。この標識は電源を必要とするものの、山、河川または海岸等では、電源を確保できない場所が多く、そのような場所では照明を機能させることができないので、暗闇ではその情報を認識することができない。また、電源を確保できる場合であっても、停電が発生した場合には、照明が機能せず、暗闇においてその情報を認識できなくなる。また、この標識は、電気の使用コストがかかり、照明付きではない標識等に比べ、製造・設置コストも高くなってしまうという問題もある。
【先行技術文献】
【特許文献】
【０００４】
【特許文献１】実開昭５２−９２６８４号公報
【発明の概要】
【発明が解決しようとする課題】
【０００５】
本発明は、情報を表示する表示装置であって、暗闇においても視認可能であり、電源を必要としない表示装置を提供することを目的とする。
【課題を解決するための手段】
【０００６】
本発明の表示装置は、凹部を有する基体と、凹部に嵌め込まれる嵌込部および基体の表面から突出する突出部を有する表示体と、を備え、表示体が、少なくとも突出部に蓄光性を有する蓄光部を含んでいる。
【発明の効果】
【０００７】
本発明の表示装置は、蓄光部を有する表示体を備えることにより、蓄光部が暗闇で発光するので、日没や停電により辺りが暗くなっても表示体が示す情報を人々に認識させることができる。
また、本発明の表示装置は、少なくとも突出部に蓄光部を含んでいるので、蓄光部を有する表示体が基体に埋設されている表示装置に比べ、蓄光部に効率よく蓄光させることができる。
また、本発明の表示装置は、表示体が基体の凹部に嵌め込まれて固定されているので、表示体が基部から脱落し難くなっている。
【図面の簡単な説明】
【０００８】
【図１】本発明の第一実施形態の表示装置を示す正面図である。
【図２】図１のII―II線断面図である。
【図３】本発明の第二実施形態の表示装置を示す断面図である。
【発明を実施するための形態】
【０００９】
以下、本発明の実施形態の表示装置について説明する。図１および図２は、本発明の第一実施形態の表示装置を表す。本発明の第一実施形態の表示装置は、基体１１と、表示体２１と、を備えている。
【００１０】
基体１１は、木製の板であって、平面視して矩形状になっている。基体１１の表側の面には、表示体２１がはめ込まれる凹部１３が設けられている。凹部１３は、例えば、ＮＣルーターまたはレーザー加工機を用いて形成される。
なお、基体１１の素材は、木材以外の素材であってもよく、例えば金属や樹脂等であってもよい。また、基体１１の形状は、平面視して矩形以外の形状であってもよい。また、凹部１３は、基体１１の裏側の面に設けるものであってもよいし、表側の面と裏側の面の両面に設けるものであってもよい。
【００１１】
表示体２１は、情報を表示するためのものであり、平面視によると、文字、記号もしくは図形またはこれらの組み合わせ等の形状となっている。表示体２１は、凹部１３に嵌め込まれる部分が嵌込部２３となっており、基体１１の表面から突出する部分が突出部２５となっている。表示体２１は、嵌込部２３が基体１１の凹部１３に嵌め込まれるとともに、シリコン系のシーリング剤等の接着剤により凹部１３に固定されている。
【００１２】
また、表示体２１は、蓄光性を有する蓄光部２７を有している。蓄光部２７は、太陽や照明等の光のエネルギーを蓄え、そのエネルギーにより暗闇で発光するものであり、表示体２１のうち蓄光および発光可能な位置に備えられている。
【００１３】
第一実施形態における表示体２１は、全体が蓄光部２７となっている。蓄光部２７は、少なくとも蓄光材を含有する基部で構成されている。ここで、蓄光材としては、例えば、アルミン酸ストロンチウムや、硫化亜鉛などが挙げられるが、光のエネルギーを蓄え、その蓄えたエネルギーによって暗闇で発光するものであればどのようなものでもよい。基部としては、アクリル樹脂、ポリウレタン樹脂またはポリエステル樹脂等があげられるが、これらに限定されるものではない。
【００１４】
なお、蓄光部２７は、基部に蓄光材を含有させるもの以外のものであってもよく、例えば、基部の面の全部または一部に蓄光材を塗布または印刷したものであってもよい。
表示体２１は、板状の蓄光部２７を、レーザー加工機またはウォータジェット加工機等を用いて文字等の所定の形状に切断することにより形成される。
蓄光の輝度や発光時間は、蓄光材の種類や量により適宜調節できる。表示体２１の形状は、提供する情報に合わせて適宜設定する。
【００１５】
上記表示装置は、例えば、屋内外において、標識、看板、表札等として、壁、柱または杭等に固定して使用することができる。
【００１６】
上記表示装置は、表示体２１の蓄光部２７に太陽または照明等のエネルギーが蓄えられ、日没や停電により辺りが暗くなると蓄光部２７が発光する。蓄光部２７は、数時間は発光しつづける。
【００１７】
上記表示装置は、蓄光部２７を有する表示体２１を備えることにより、蓄光部２７が暗闇で発光するので、日没や停電により辺りが暗くなっても表示体２１が示す情報を人々に認識させることができる。
また、上記表示装置は、少なくとも突出部２５に蓄光部２７を含んでいるため、蓄光部２７を有する表示体２１が基体１１に埋設されている表示装置に比べ、蓄光部２７に効率よく蓄光させることができる。
また、上記表示装置は、表示体２１が基体１１の凹部１３に嵌め込まれて固定されているので、表示体２１が基部から脱落しにくくなっている。
【００１８】
次に、本発明の第二実施形態の表示装置について説明する。図３は、本発明の第二実施形態の表示装置を示す。第二実施形態の表示装置は、表示体２１が、少なくとも嵌込部２３に、蓄光性を有しない非蓄光部２９を含んでいる点で第一実施形態のものと異なる。
【００１９】
表示体２１は、非蓄光部２９の上に蓄光部２７を積層したものであり、嵌込部２３が非蓄光部２９で構成され、突出部２５が蓄光部２７で構成されている。
非蓄光部２９の素材としては、例えば、樹脂、木材、金属などがあげられるが、これらに限定されるものではない。蓄光部２７の構成は、第一実施形態のものと同様である。
表示体２１は、板状の蓄光部２７を、同じく板状の非蓄光部２９に積層して両者を接着剤で固定し、積層したものをレーザー加工機またはウォータジェット加工機等を用いて文字等の所定の形状に切断することにより形成される。
なお、表示体２１は、上記の形態以外のものであってよく、例えば、嵌込部２３の一部だけ非蓄光部２９とするものであってもよい。
【００２０】
上記表示装置は、第一実施形態のものと同様に、例えば、屋内外において、標識、看板、表札等として、壁、柱または杭等に固定して使用することができる。
【００２１】
第二実施形態の表示装置は、第一実施形態のものと同様に、表示体２１の蓄光部２７に太陽または照明等のエネルギーが蓄えられ、日没や停電により辺りが暗くなると蓄光部２７が発光する。蓄光部２７は、数時間は発光しつづける。
【００２２】
第二実施形態の表示装置によると、第一実施形態の表示装置の効果に加え、表示体２１における蓄光部２７の割合を低くすることができるので、表示装置の製造コストを低減することができる。
【符号の説明】
【００２３】
１１    基体
１３    凹部
２１    表示体
２３    嵌込部
２５    突出部
２７    蓄光部
２９    非蓄光部
【図１】
2016038442.tif 000003
【図２】
2016038442.tif 000004
【図３】
2016038442.tif 000005